(57)【要約】【課題】装着状態の携帯端末を所望の位置に移動することができ、その位置で操作することができる。【解決手段】スマートフォンＳが着脱自在に装着され、スマートフォンＳからのコンテンツの音声信号を再生するオーディオ機器１１であって、スマートフォンＳのコネクタＳ１が接続されるメインコネクタ４１と、メインコネクタ４１をスライド自在に支持するガイド部４２と、任意のスライド位置のメインコネクタ４１に装着したスマートフォンＳを、所定の操作角度に保持する背面保持部２３ａと、を備えた。【選択図】図３
2014049801.tif 000002
【特許請求の範囲】
【請求項１】
携帯端末が着脱自在に装着され、前記携帯端末からのコンテンツの音声信号および／または映像信号を再生するコントロール機器であって、
前記携帯端末のコネクタが接続されるメインコネクタと、
前記メインコネクタをスライド自在に支持するガイド部と、
任意のスライド位置の前記メインコネクタに装着した前記携帯端末を、所定の操作角度に保持する背面保持部と、を備えたことを特徴とするコントロール機器。
【請求項２】
表面に横断方向に延びる溝条部を有する横長平板状の筐体を、更に備え、
前記ガイド部は、前記溝条部の底部に形成されると共に前記溝条部に沿って延在し、
前記背面保持部は、前記溝条部の溝壁により構成されていることを特徴とする請求項１に記載のコントロール機器。
【請求項３】
携帯端末のコネクタが接続されるサブコネクタを、更に備え、
前記サブコネクタは、前記ガイド部にスライド自在に支持されていることを特徴とする請求項２に記載のコントロール機器。
【請求項４】
前記サブコネクタは、前記携帯端末に充電を行うための充電用コネクタであり、
前記サブコネクタには、一対のコネクタ側電源端子が設けられ、
前記ガイド部には、電源回路に接続され、前記一対のコネクタ側電源端子が摺接するライン状の一対の機器側電源端子が設けられていることを特徴とする請求項３に記載のコントロール機器。
【請求項５】
前記サブコネクタは、前記ガイド部に着脱自在に装着されていることを特徴とする請求項４に記載のコントロール機器。
【請求項６】
請求項２に記載のコントロール機器を備えたことを特徴とするＡＶ装置。
【発明の詳細な説明】
【技術分野】
【０００１】
本発明は、携帯端末が着脱自在に装着され、当該携帯端末のコンテンツを再生するコントロール機器およびこれを備えたＡＶ装置に関するものである。
【背景技術】
【０００２】
従来、この種のＡＶ装置として、携帯端末（携帯電話機）に接続され、携帯端末からの音声信号（音楽信号）を受けるスピーカー入力コネクタと、音声信号を、高音域、中音域、低音域に分離し、増幅して分配するスピーカーアンプと、分離・増幅された音声信号を受け、これを出力する複数のスピーカーと、を備えたものが知られている（特許文献１参照）。
【先行技術文献】
【特許文献】
【０００３】
【特許文献１】特開２００６−９４３６７号公報
【発明の概要】
【発明が解決しようとする課題】
【０００４】
ところで、このような従来のＡＶ装置では、携帯端末を装着すると、携帯端末の位置がその位置に固定されてしまう。そのため、ユーザーが、携帯端末を操作しやすい位置に移動することができず、装着状態での携帯端末の操作がしにくいという問題があった。特に、携帯端末は、手に持って操作することが基本であるので、移動できないことに強い煩わしさを覚えてしまう。
【０００５】
本発明は、装着状態の携帯端末を所望の位置に移動することができ、その位置で操作することができるコントロール機器およびこれを備えたＡＶ装置に関するものである。
【課題を解決するための手段】
【０００６】
本発明のコントロール機器は、携帯端末が着脱自在に装着され、携帯端末からのコンテンツの音声信号および／または映像信号を再生するコントロール機器であって、携帯端末のコネクタが接続されるメインコネクタと、メインコネクタをスライド自在に支持するガイド部と、任意のスライド位置のメインコネクタに装着した携帯端末を、所定の操作角度に保持する背面保持部と、を備えたことを特徴とする。
【０００７】
この構成によれば、メインコネクタがスライド自在に支持されているので、メインコネクタに装着した携帯端末を、メインコネクタを介して所望の位置にスライド移動することができる。また、背面保持部を設けることで、任意のスライド位置で携帯端末の背面が保持される。すなわち、背面保持部が、携帯端末の押下操作又はタッチ操作したときの受けとなるため、その任意のスライド位置で、携帯端末を操作することができる。このように、ユーザーが、携帯端末を操作しやすい位置に移動することができ、その位置で操作することができるので、高いユーザビリティを提供することができる。
【０００８】
この場合、ガイド部は、溝条部の底部に形成されると共に溝条部に沿って延在し、背面保持部は、溝条部の溝壁により構成されていることが好ましい。
【０００９】
この構成によれば、溝条部により、メインコネクタおよびガイド部を隠すことができるため、デザイン性が向上することができる。一方、ユーザーは、溝条部により、携帯端末およびメインコネクタの可動範囲や可動方向を認識することができる。
【００１０】
一方、携帯端末のコネクタが接続されるサブコネクタを、更に備え、サブコネクタは、ガイド部にスライド自在に支持されていることが好ましい。
【００１１】
この場合、サブコネクタは、携帯端末に充電を行うための充電用コネクタであり、サブコネクタには、一対のコネクタ側電源端子が設けられ、ガイド部には、電源回路に接続され、一対のコネクタ側電源端子が摺接するライン状の一対の機器側電源端子が設けられていることが好ましい。
【００１２】
これらの構成によれば、サブコネクタを設けることで、携帯端末を複数装着することができる。また、サブコネクタもスライド自在に支持されているので、メインコネクタとサブコネクタとの位置関係を適宜変えることができる。
【００１３】
また、サブコネクタは、ガイド部に着脱自在に装着されていることが好ましい。
【００１４】
この構成によれば、サブコネクタを除去・追加することもできる。よって、ユーザーは、用途に合わせて、コネクタの数を適宜カスタマイズすることができる。
【００１５】
本発明のＡＶ装置は、上記のコントロール機器を備えたことを特徴とする。
【００１６】
この構成によれば、装着した携帯端末を操作しやすい位置に移動することができるコントロール機器を用いることで、ユーザビリティの高いＡＶ装置を提供することができる。
【図面の簡単な説明】
【００１７】
【図１】本発明の一実施形態に係るオーディオ装置を示した斜視図（ａ）および断面図（ｂ）である。
【図２】オーディオ機器の内部構成を示したブロック図である。
【図３】ドック部廻りを示した断面図（ａ）および平面図（ｂ）である。
【図４】ドック部の変形例を示した断面図（ａ）および斜視図（ｂ）である。
【発明を実施するための形態】
【００１８】
以下、添付の図面を参照して、本発明の一実施形態に係るコントロール機器およびこれを備えたＡＶ装置について説明する。本実施形態では、本発明のＡＶ装置を適用したオーディオ装置を例示する。このオーディオ装置は、スマートフォン（携帯端末）を装着し、スマートフォンからの音声信号を音声出力するスマートフォン用の音声出力装置（いわゆるドックスピーカー）である。特に、本オーディオ装置は、装着状態のスマートフォンを所望の位置に移動することができ、その位置で操作することができる構造を有している。
【００１９】
図１に示すように、オーディオ装置１は、平面矩形形状の外観を有する水平横置き型のオーディオ機器（コントロール機器）１１により構成されている。オーディオ機器１１は、横長の矩形平面状の筐体２１で外観が形成されている。また、オーディオ機器１１の表面側（上面側）には、平面スピーカーで構成されたスピーカー部２２に配設されている。一方、オーディオ機器１１の裏面側（下面側）は、着座面となっている。
【００２０】
さらに、オーディオ機器１１の表面には、その後方位置において、横断方向に延びる溝条部２３が配設されている。溝条部２３の底部には、スマートフォンＳを着脱自在に装着（接続）するドック部２４が配設されている。そして、スマートフォンＳは、その下部を溝条部２３に入り込ませるように、操作面を前向きとする縦置き様に装着される。詳細は後述するが、ドック部２４に装着されたスマートフォンＳは、溝条部２３に沿ってスライド自在に支持されている。なお、溝条部２３は、ＣＤのパッケージ等を縦置き可能に構成されている。
【００２１】
次に図２を参照して、オーディオ機器１１の内部構成について説明する。オーディオ機器１１は、上記のスピーカー部２２およびドック部２４と、スマートフォンＳと通信可能な通信部３１と、音声信号を再生する再生部３２と、音声信号を増幅するアンプ部３３と、を備えている。スピーカー部２２は、無指向性の平面スピーカー（ＨＶＴ方式）で構成されており、再生部３２から転送された音声信号を、無指向で音声出力（放音）する。
【００２２】
通信部３１は、ドック部２４に連なり、ドック部２４を介して、スマートフォンＳとの通信を行うものであり、主に、スマートフォンＳからの音声信号（コンテンツ）を受信する。
【００２３】
再生部３２は、スマートフォンＳからのコンテンツの音声信号を再生（制御）する。具体的には、スマートフォンＳに制御信号を送信して、スマートフォンＳを制御すると共に、スマートフォンＳから受信した音声信号を、アンプ部３３を介して、スピーカー部２２に転送する。
【００２４】
オーディオ装置１では、ドック部２４により、スマートフォンＳから順次転送される音声信号を受信する。その後、受信した音声信号をアンプ部３３により増幅し、スピーカー部２２に順次転送する。そして、スピーカー部２２により、転送された音声信号を順次、音声出力する。
【００２５】
ここで図３を参照して、ドック部２４廻りについて説明する。図３に示すように、ドック部２４は、スマートフォンＳのコネクタＳ１が接続されるメインコネクタ４１と、溝条部２３の底部に形成され、メインコネクタ４１をスライド自在に支持するガイド部４２と、メインコネクタ４１と通信部３１とを接続するＦＦＣ（フレキシブルフラットケーブル：図示省略）と、を備えている。
【００２６】
メインコネクタ４１は、メインコネクタ本体５１と、メインコネクタ本体５１を支持するコネクタホルダ５２と、を有している。コネクタホルダ５２は、メインコネクタ４１を前後方向に回動（傾動）自在に支持している。厳密には、メインコネクタ４１は、コネクタホルダ５２により、鉛直方向を向いたデフォルト位置から後方に倒れ込むように傾動自在となっている。これにより、装着されたスマートフォンＳが、垂直姿勢から後方に傾動にするようになっている。また、コネクタホルダ５２の下端部には、前後方向（溝条部２３に直交する方向）に延びる一対のスライド片５３が設けられている。
【００２７】
ガイド部４２は、溝条部２３の溝底を前後方向に延長するように形成され、上記一対のスライド片５３が係合する一対のスライド溝６１により構成されている。一対のスライド溝６１は、溝条部２３に沿って延在しており、一対のスライド片５３を介して、コネクタホルダ５２を溝条部２３に沿ってスライド自在に支持している。すなわち、ガイド部４２は、コネクタホルダ５２を介して、メインコネクタ本体５１を筐体２１の横断方向（長手方向）にスライド自在に支持している。これにより、ガイド部４２は、メインコネクタ４１に装着したスマートフォンＳをスライド自在に支持している。
【００２８】
また、溝条部２３の溝壁２３ａ（後方内側壁）は、任意のスライド位置のメインコネクタ４１に装着したスマートフォンＳを、所定の操作角度θ（斜め上向き）に保持する背面保持部として機能している。すなわち、メインコネクタ４１に装着されたスマートフォンＳは、装着時には、垂直姿勢（装着姿勢）となっているが、スマートフォンＳの操作面が押されると、垂直姿勢から後方に傾動する。そして、所定の操作角度θまで傾動したところで、スマートフォンＳの背面が溝条部２３の溝壁２３ａに接触し、溝壁２３ａがスマートフォンＳの受けとなる。すなわち、溝条部２３の溝壁２３ａによる背面支持により、スマートフォンＳが所定の操作角度θに傾動した傾動姿勢で保持される。これにより、装着したスマートフォンＳが所定の操作角度θで操作することができる。
【００２９】
以上のような構成によれば、メインコネクタ４１がスライド自在に支持されているので、メインコネクタ４１に装着したスマートフォンＳを、メインコネクタ４１を介して所望の位置にスライド移動することができる。また、溝条部２３の溝壁２３ａ（背面保持部）により、任意のスライド位置でスマートフォンＳの背面が保持されるので、その任意のスライド位置で、スマートフォンＳを操作することができる。このように、ユーザーが、スマートフォンＳを操作しやすい位置に移動することができ、その位置で操作することができるので、高いユーザビリティを提供することができる。
【００３０】
また、ガイド部４２を、溝条部２３の底部に形成することで、溝条部２３により、メインコネクタ４１およびガイド部４２を隠すことができるため、デザイン性が向上することができる。一方、ユーザーは、溝条部２３により、スマートフォンＳおよびメインコネクタ４１の可動範囲や可動方向を認識することができる。
【００３１】
次に図４を参照してドック部２４の変形例について説明する。図４に示すように、本ドック部２４は、上記のメインコネクタ４１およびガイド部４２に加え、ガイド部４２にスライド自在に支持されると共に、２つ目のスマートフォンＳのコネクタＳ１が接続されるサブコネクタ７１を備えている。サブコネクタ７１は、サブコネクタ本体８１と、サブコネクタホルダ８２と、を有し、メインコネクタ４１と同様、サブコネクタホルダ８２は、サブコネクタ本体８１を前後方向に回動（傾動）自在に支持している。また、サブコネクタホルダ８２の下端部には、前後方向に延びる一対のスライド片８３が設けられており、サブコネクタホルダ８２は、一対のスライド片８３を介して、一対のスライド溝６１にスライド自在に支持されている。
【００３２】
また、サブコネクタ７１は、２つ目のスマートフォンＳに充電を行うための充電用コネクタであり、サブコネクタホルダ８２の両側面には、一対のコネクタ側電源端子８４が設けられている。一方、ガイド部４２は、一対のコネクタ側電源端子８４に対峙するように、溝条部２３の溝壁２３ａ、２３ｂに設けられた一対の機器側電源端子８６を有している。一対の機器側電源端子８６は、電源回路（図示省略）に接続されると共に、一対のコネクタ側電源端子８４に摺接するライン状に設けられている。すなわち、任意のスライド位置で、電源供給が可能に構成されている。
【００３３】
さらに、サブコネクタ７１は、ガイド部４２に着脱自在に装着されている。これにより、サブコネクタ７１を除去・追加することもできるようになっている。
【００３４】
本変形例の構成によれば、サブコネクタ７１を設けることで、スマートフォンＳを複数装着することができる。また、サブコネクタ７１もスライド自在に支持されているので、メインコネクタ４１とサブコネクタ７１との位置関係を適宜変えることができる。さらに、サブコネクタ７１を除去・追加することもできるので、ユーザーは、用途に合わせて、コネクタの数を適宜カスタマイズすることができる。なお、サブコネクタ７１を複数有する構成であっても良い。
【００３５】
なお、本実施形態において、ディスプレイ部を有したディスプレイ機器を、溝条部２３の左右半部に接合し、ディスプレイ部により、例えば、時計や、再生する楽曲のジャケット画像、ひいては、スマートフォンＳに搭載したアプリケーションのアプリ画面を表示する構成であっても良い。
【００３６】
また、本実施形態においては、スマートフォンＳを装着するオーディオ装置１に本発明を適用したが、携帯端末を装着するものであれば、例えば、携帯オーディオプレイヤーや、タブレットＰＣ、携帯電話等を装着するオーディオ装置１に本発明を適用しても良い。
【００３７】
さらに、本実施形態においては、オーディオ装置１を、スマートフォンＳを装着すると共に、スピーカー部２２、再生部３２およびアンプ部３３を内蔵したオーディオ機器１１により構成するものであったが、オーディオ装置１を、スマートフォンＳを装着すると共に、再生部３２およびアンプ部３３を内蔵したコントロール機器と、コントロール機器に接続（リンク）すると共に、スピーカー部２２を内蔵したスピーカー機器とにより構成するものであっても良い。
【００３８】
またさらに、本実施形態においては、スマートフォンＳからの音楽コンテンツの音声信号を再生するオーディオ装置１に本発明を適用したが、スマートフォンＳからの映像コンテンツの映像信号（画像信号）を再生する映像装置に、本発明を適用しても良い。
【符号の説明】
【００３９】
１：オーディオ装置、  １１：オーディオ機器、  ２１：筐体、  ２３：溝条部、  ２３ａ：溝壁、  ４１：メインコネクタ、  ４２：ガイド部、  ７１：サブコネクタ、  ８４：コネクタ側電源端子、  ８６：機器側電源端子、  Ｓ：スマートフォン、  Ｓ１：コネクタ、  θ：所定の操作角度
【図１】
2014049801.tif 000003
【図２】
2014049801.tif 000004
【図３】
2014049801.tif 000005
【図４】
2014049801.tif 000006